(57)【要約】【課題】情報表示器を備えるような無線端末を用いた無線端末システムにおける電力消費を軽減し得る、あるいは電力利用効率の良い無線通信システムを提供することを目的とする。【解決手段】本発明の無線通信システムは、アンテナと送受信部を備えてデータ信号を電磁波で送信する第１の送受信機と、アンテナ、送受信部、上記データ信号を記憶するメモリ部、表示メモリ性を有する表示部及び電磁波から各部の動作電圧を得る電源部とを備える第２の送受信機と、含み、上記第１の送受信機は上記データ信号の送信出力を高低に相対的に変化し、上記第２の送受信機は上記データ信号の送信出力の低レベル状態で上記データ信号を受信して上記メモリ部に記憶し、上記データ信号の送信出力の高レベル状態で上記メモリ部から上記データ信号を上記表示部に移動する。【選択図】図１
2008242697.tif 000002
【特許請求の範囲】
【請求項１】
アンテナ回路と送受信部を備えてデータ信号を電磁波で送信する第１の送受信機と、
アンテナ回路、送受信部、前記データ信号を記憶するメモリ部、表示メモリ性を有する表示部及び電磁波から各部の動作電圧を得る電源部とを備える第２の送受信機と、含み、
前記第１の送受信機は前記データ信号の送信出力を高低に相対的に変化し、
前記第２の送受信機は前記データ信号の送信出力の低レベル状態で前記データ信号を受信して前記メモリ部に記憶し、前記データ信号の送信出力の高レベル状態で前記メモリ部から前記データ信号を前記表示部に移動する、ことを特徴とする無線通信システム。
【請求項２】
前記第１の送受信機は、前記データ信号の送信出力の低レベル状態において前記アンテナ回路の利得特性を広帯域特性とし、前記データ信号の送信出力の高レベル状態において前記アンテナ回路の利得特性を狭帯域とする、請求項１に記載の無線通信システム。
【請求項３】
前記第１の送受信機は、前記データ信号の送信出力の低レベル状態において前記送受信部の送信の利得特性を広帯域特性とし、前記データ信号の送信出力の高レベル状態において前記送受信部の送信の利得特性を狭帯域特性とする、請求項１又は２に記載の無線通信システム。
【請求項４】
前記第２の送受信機は、前記データ信号の送信出力の低レベル状態において前記アンテナ回路の利得特性を広帯域特性とし、前記データ信号の送信出力の高レベル状態において前記アンテナ回路の利得特性を狭帯域特性とする、請求項１乃至３のいずれかに記載の無線通信システム。
【請求項５】
前記第２の送受信機の動作は、前記第１の送受信機のデータ信号によって制御される、請求項１乃至４のいずれかに記載の無線通信システム。
【発明の詳細な説明】
【技術分野】
【０００１】
本発明は、ＲＦ−ＩＤ（無線識別）タグシステムや非接触型ＩＣカードシステムのような、他の無線装置から無線端末装置に電磁波（電波）で動作電力とデータ信号の供給を行う無線通信システムに関し、特に無線端末装置が消費電力の大きい表示器を備える場合の無線端末システムにおける電力消費を軽減するようにした無線通信システム等に関する。
【背景技術】
【０００２】
バーコード等の代用としてＲＦ−ＩＤ機器の開発が進められており、電池を内蔵するものと内蔵しないものとがある。電池を内蔵しないタイプのＲＦ−ＩＤ機器は、外部から搬送波などの電磁波で電力の供給を受けて起動し、外部の装置とデータの授受を行う。ＲＦ−ＩＤ機器の典型的な用途は商品管理のためのタグであるが、ＲＦ−ＩＤ技術を応用した情報表示端末等が種々検討されている。しかし、電池を内蔵しないタイプのＲＦ−ＩＤ機器に表示器を取り付けた場合には、表示情報を提供する無線装置（情報ポスト）からの電波が届く範囲内から外れたり、あるいは無線通信が終了すると、ＲＦ−ＩＤ機器への電力の供給がなくなるので表示を継続することができない。そこで、例えば、特開２００５−１６５８１４号公報に記載のＲＦ−ＩＤ機器では、電源をオフにしても表示状態を維持し得る特性（表示メモリ性）を有するいわゆる電子ペーパー（ＥＰＤ）を表示器に使用することを提案している。ＥＰＤには、例えば１０ボルト程度の駆動電圧が必要である。このＲＦ−ＩＤ装置では、ＥＰＤ表示器の駆動電力が他の回路に比べて相当に大きいため、表示器を駆動するための電力受信用アンテナの設置、通信部と表示部との時分割的な駆動、大規模な多段階昇圧回路の設置等によって所要の表示器駆動電力及び機器の駆動電力を得るように工夫している。
【特許文献１】特開２００５−１６５８１４号公報
【発明の開示】
【発明が解決しようとする課題】
【０００３】
上述したように、ＲＦ−ＩＤ機器は外部の情報ポストなどから電磁結合（電波）によって電力供給を受けて動作する。従って、情報ポストの放射電力を増大することによってＲＦ−ＩＤ機器への動作電力供給を増すことが可能である。
【０００４】
しかしながら、ノイズや通信障害などの原因になり得るので電波放出レベルは可及的に抑制すべきであり、電波法による出力規制も存在する。また、ＲＦ−ＩＤ機器のみならず、ＲＦ−ＩＤ機器システム全体の電力消費の低減が望ましい。
【０００５】
よって、本発明は、情報表示器を備えるような無線端末を用いた無線端末システムにおける電力消費を軽減し得る、あるいは電力利用効率の良い無線通信システムを提供することを目的とする。
【課題を解決するための手段】
【０００６】
上記目的を達成するため、本発明の無線通信システムは、アンテナ回路と送受信部を備えてデータ信号を電磁波で送信する第１の送受信機と、アンテナ回路、送受信部、上記データ信号を記憶するメモリ部、表示メモリ性を有する表示部及び電磁波から各部の動作電圧を得る電源部とを備える第２の送受信機と、含み、上記第１の送受信機は上記データ信号の送信出力を高低に相対的に変化し、上記第２の送受信機は上記データ信号の送信出力の低レベル状態で上記データ信号を受信して上記メモリ部に記憶し、上記データ信号の送信出力の高レベル状態で上記メモリ部から上記データ信号を上記表示部に移動する、ことを特徴とする。
【０００７】
また、上記第１の送受信機は、上記データ信号の送信出力の低レベル状態において上記アンテナ回路の利得特性を広帯域特性とし、上記データ信号の送信出力の高レベル状態において上記アンテナ回路の利得特性を狭帯域特性とするのが望ましい。
【０００８】
また、上記第１の送受信機は、上記データ信号の送信出力の低レベル状態において上記送受信部の送信の利得広帯域特性とし、上記データ信号の送信出力の高レベル状態において上記送受信部の送信の利得特性を狭帯域特性とするのが望ましい。
【０００９】
また、上記第２の送受信機は、上記データ信号の送信出力の低レベル状態において上記アンテナ回路の利得特性を広帯域特性とし、上記データ信号の送信出力の高レベル状態において前記アンテナ回路の利得特性を狭帯域特性とするのが望ましい。
【００１０】
また、上記第２の送受信機の動作は、上記第１の送受信機のデータ信号によって制御されるのが望ましい。
【００１１】
かかる構成によれば、低消費電力で済む送受信機の動作状態における送受信機からの過剰な電力供給を回避して送信電力の利用率を向上することが可能となる。また、上記供給電力の変更に対応して伝送系の帯域特性を広帯域低利得特性と狭帯域高利得特性に変更するので送信電力の利用率を更に向上することが可能となる。また、第２の送受信機の動作を第１の送受信機のデータ信号によって制御可能とすることによって、例えば、情報ポストの制御ソフトウェアによって携帯型表示器の表示を含む動作を制御することができて具合がよい。
【発明を実施するための最良の形態】
【００１２】
以下、本発明の実施の形態を添付図面を参照して説明する。
【００１３】
図１は、本発明の実施の形態に係る無線端末システムのうち、表示器を備える無線端末に相当する情報受信機を示している。図２は、無線端末システムのうち、情報を提供する情報ポストに相当する情報送信機を示している。
【００１４】
本実施の形態においては、情報送信機から情報受信機への無線送信電力を表示データ送信段階と表示器への表示データの書き込み段階とで変えることによって電力供給の効率化を図っている。更に、表示データ送信段階では高速でデータ通信を行うために情報送信機と情報受信機との間に広帯域特性の高速データ伝送系を構成し、他の通信時には狭帯域特性の高効率の電力伝送を可能とする低速データ伝送系を構成する。また、他の実施例としては、電力供給用の送信アンテナ、受信アンテナをデータ信号伝送用のアンテナの他に別途に備える。
【００１５】
図１に示される情報受信機の回路ブロックにおいて、アンテナ部１１２は情報送信機２００からの無線信号を受信する。また、送信部１２０からの高周波信号を無線信号として情報送信機２００に送出する。
【００１６】
アンテナ部１１２は、図４（Ａ）に示すように、キャリア周波数に同調した狭帯域高利得特性（高尖鋭度Ｑ）のアンテナ１１２ａと、変調信号周波数帯域を受信する広帯域特性低利得特性（低尖鋭度Ｑ）のアンテナ１１２ｂと、両アンテナの出力を信号処理部１１８からの制御信号に応じて選択して後段の結合部１１４に中継する切換器１１２ｃによって構成されている。
【００１７】
なお、図１中に１１２ａとして示すように、電力受信専用のアンテナ１１２ａを別途設けて電源部１４２に常時接続する構成とすることができる。
【００１８】
また、図４（Ｂ）に示す例では、アンテナ部１１２はアンテナ１１２ｄと受信感度特性を変更するＱ特性可変回路１１２ｅとの組み合わせによって構成されている。Ｑ特性可変回路１１２ｅは、例えば、タンク回路（同調回路）の抵抗、インダクタンス、キャパシタンスなどのパラメータを信号処理部１１８からの制御信号に応じて変更することによってアンテナの受信感度特性を広狭に変化する。
【００１９】
結合部１１４は、アンテナ部にて受信した高周波信号のうちのデータ信号（変調信号）成分を受信部１１６に送る。また、受信した高周波信号のうちのキャリア信号成分を電源部１４２に送る。また、後述の送信部１２０からの変調信号（送信信号）をアンテナ部１１２に送る。
【００２０】
受信部１１６は変調信号を復調して後述のデータ信号を復元する。このデータ信号は信号処理部１１８に送られる。電源部１４２は整流回路と平滑回路によって構成され、キャリア信号を整流して直流の電源電圧を発生する。直流電源電圧は図中の点線枠で示す送受信系及び表示駆動部１３０等の動作電源となる。また、直流電源電圧は表示用電源部１４４に供給され、更に昇圧されて、例えば１０ボルトのＥＰＤの駆動電圧として表示部１３２に供給される。
【００２１】
信号処理部１１８は、図３に示すように、制御プログラムに従って各部の制御動作や信号処理を行うＣＰＵ１１８ａ、復元されたデータ信号を一時記憶するＲＡＭ１１８ｂ、制御プログラムや固定のデータ、コマンド信号などを記憶するＲＯＭ１１８ｃ、情報送信機２００からの制御パラメータなどを記憶する書き換え可能な不揮発性メモリとしてのＦｅＲＡＭ１１８ｃ（ＥＥＰＯＭ等の他のものであってもよい）等によって構成されている。制御部１１８ａ（信号処理部１１８）は、後述するように、受信したデータ信号から情報送信機２００からのコマンド信号を読み取り、これに対応した各部の制御動作を行う。例えば、送信部１２０を介して情報送信機２００へのデータ信号（コマンド）の送信、送信動作・受信動作の切換え、表示用電源部の動作制御等が含まれている。また、制御部１１８ａはＲＡＭ１１８ｂに格納されたデータ信号（画像信号）を表示駆動部１３０に供給する。
【００２２】
表示駆動部１３０は、各画素のデータ信号をレベル信号に変換して二次元表示を行うＥＰＤを備えた表示部１３２に供給する。
【００２３】
図５に表示部１３２を構成するアクティブマトリックスのＥＰＤの単位画素回路例を示す。ＥＰＤの構造としては微粒子を封入したマイクロカプセルに対し下部電極と上部ＩＴＯ透明電極で挟み込んだキャパシタ構造をとっている。ＥＰＤ画素への書き込みは走査線ＳＣＡＮおよびデータ線ＤＡＴＡにより選択された画素に対して電源電圧まで保持容量ＣｓｔｒおよびＥＰＤ画素部を充電する。ＥＰＤへのデータ書き込みは、走査線ＳＣＡＮ上でスキャンする毎にキャパシタンスを充電することに他ならないため、ＥＰＤ駆動時の電力消費量は瞬間的なパルス形状を示す。
【００２４】
図６は、情報受信機１００が起動してからデータ信号の情報表示を行うまでの消費電力の状態を示している。送受信系（アナログブロック）の電力消費、信号処理部（デジタルブロック）の電力消費は比較的に少ないが、ＥＰＤの各走査線の画素にデータ書き込みを行う毎にパルス状に高い電力消費が発生する。
【００２５】
したがって、情報送信機２００からの電力供給が一定量である場合、システムを安定に動作させるためには情報送信機２００からの送信電力が消費電力の最大値を上回るよう設定する必要がある。このためＥＰＤ駆動時以外においては送信電力の大半を使用しないので電力使用効率が下がる。また、ＥＰＤへの書き込み時に情報受信機１００における消費電力が情報送信機２００からの供給電力を上回った場合、他の電源系の電源電圧が下がり、他の電源系統により動作しているＥＰＤ表示駆動部１３０、信号処理部１１８等の機能が停止する。なお、電波法により通信時の出力電界強度が規定されており、情報送信機２００からの電力供給も制約される。
【００２６】
図２は、情報送信機２００の構成例を示している。同図において、アンテナ部２１２は情報受信機１００に無線信号を送信する。また、情報受信機１００からの無線信号を受信する。アンテナ部２１２は、既述した図４に示したものと同様の回路構成とすることができ、帯域特性を広狭に変化させることができる。帯域特性が狭い場合には高利得アンテナとなり、帯域特性が広い場合には相対的に低利得アンテナとなる。ただし、情報送信機２００が美術館内の案内ポストなどに使用される場合には、固定局（固定無線局）であるので、情報受信機１００の場合とは異なり、アンテナ１１２ａ、１１２ｂ、１１２ｄはより大型の高効率のアンテナを使用することができる。
【００２７】
結合部２１４は、アンテナ部２１２にて受信した高周波信号のうちのデータ信号（変調信号）成分を受信部２１６に送る。また、送信部２２０からの変調信号（送信信号）をアンテナ部２１２に送る。
【００２８】
受信部２１６は変調信号を復調してデータ信号を復元する。このデータ信号は信号処理部２１８に送られる。電源部１４２は整流回路と平滑回路によって構成され、図示しない商用電源を整流して直流の電源電圧を発生する。直流電源電圧は図中の点線枠で示す送受信系（アナログ系）及び信号処理系（デジタル系）等の動作電源となる。
【００２９】
信号処理部２１８は、図３を参照して説明した既述信号処理部１１８と同様の構成であるのでその説明を省略する。信号処理部２１８は、後述するように、受信したデータ信号から情報受信機１００からのコマンド信号を読み取り、これに対応した各部の制御動作を行う。例えば、送信部２２０を介して情報受信機１００へのデータ信号（コマンド）の送信、送信動作・受信動作の切換え、送信電力の切換え等が含まれている。また、信号処理部２１８は、データベース装置２５０から転送された案内情報（表示用データ）を内部のＲＡＭ１１８ｂに格納し、これをデータ信号の形式にして送信部２２０に供給する。
【００３０】
データベース装置２５０は、例えば、図示しないパーソナルコンピュータシステムによって構成され、ハードティスクに案内情報（表示情報）等を蓄積している。情報受信機の接近に対応して該当するデータを信号処理部２１８に送出する。なお、パーソナルコンピュータシステムの図示しないディスプレイは情報送信機２００の情報ディスプレイとして機能している。
【００３１】
送信部２２０は、例えば、１３．５６ＭＨｚのキャリア信号を信号処理部２１８から供給されるデータ信号で変調して高周波信号を形成する。変調形式は例えば、ＲＦ−ＩＤの規格を適用することができる。送信部２００の図示しないパワー増幅器は信号処理部２１８からの制御信号に応じて増幅器の帯域特性を広狭に変化させることができる。当該増幅器が狭帯域特性のときは高利得特性であり、アンテナ部２１２に供給される高周波信号の送信電力が増加する。また、広帯域特性のときは低利得特性であり、アンテナ部２１２に供給される高周波信号の送信電力が減少するが、より高速にデータ信号を送出することが可能となる。前述したように、アンテナ部２１２の帯域特性も信号処理部２１８からの制御信号に応じて広狭に変更される。
【００３２】
次に、上述した表示器を備える無線端末システムの動作例について説明する。
【００３３】
図７は、第１の動作態様の概略を説明するフローチャートである。この例では、情報受信機１００側の動作のタイミングにより情報送信機２００の送信電力を最適に切り換える。情報受信機１００が情報送信機２００からデータ信号を受信し（Ｓ１０）、データを復調する（Ｓ１２）。復調したデータ信号から表示データを抽出してメモリに格納し終えると（Ｓ１４）、情報受信機１００から情報送信機２００に送信出力の増強を指令するコマンドを送信する（Ｓ１６）。好ましくは、情報受信機１００の不要回路部分をスタンバイ状態として消費電力を節約する。情報送信機２００の送信出力増大によって電源部１４２の出力が増大したところで表示用電源部１４４を活性化して表示部１３２を駆動する（Ｓ１８）。ＥＰＤ表示回路の各画素への書き込みが終了したら（Ｓ２０）、情報受信機１００から情報送信機２００に送信出力の減少を指令するコマンドを送信し、情報送信機２００の送信電力を低下させる（Ｓ２２）。
【００３４】
なお、情報送信機２００に対するコマンドで送信出力を上げた後、制御部によって常に各電源回路部１４２、１４４の出力電圧をモニタしておき、電源電圧が減少した際にはＥＰＤ表示器への書き込みを中断して、情報送信機２００に送信出力を上昇させるコマンドを送信するようにし、電源電圧が回復したらＥＰＤ表示器へのデータ書き込みを再開するようにしてもよい。
【００３５】
図８は、第２の動作態様の概略を説明するフローチャートである。同図において図７と対応する部分には同一符号を付している。
【００３６】
この例では、情報送信機２００と情報受信機１００のそれぞれにおいてデータ信号通信用のアンテナ１１２ｂとキャリアのみを受信する電力授受用アンテナ１１２ａを用意しておき、データ信号受信の際はデータ信号通信用のアンテナ１１２ｂを使用し、データ復調終了後は電力授受用のアンテナ１１２ａに切り換えて使用するものである。
【００３７】
すなわち、当初、情報送信機２００と情報受信機１００はデータ信号通信用のアンテナ１１２ｂを使用している。情報受信機１００はデータ信号通信用アンテナ１１２ｂによって情報送信機２００からデータ信号を受信し（Ｓ１０）、データを復調する（Ｓ１２）。情報受信機１００は復調したデータ信号から表示データを抽出してメモリに格納し終えると（Ｓ１４）、情報受信機１００から情報送信機２００にアンテナの切換えを指令するコマンドを送信する。情報受信機１００はデータ信号通信用のアンテナ１１２ｂから電力授受用アンテナ１１２ａに切り換える（Ｓ１７）。好ましくは、情報受信機１００の不要回路部分をスタンバイ状態として消費電力を節約する。情報送信機２００からの放射電力の増大及び情報受信機１００における受信効率の向上によって電源部の出力が増大したところで表示用電源部１４４を活性化して表示部１３２を駆動する（Ｓ１８）。ＥＰＤ表示回路の各画素への書き込みが終了したら（Ｓ２０）、情報受信機１００から情報送信機２００にアンテナの切換えを指令するコマンドを送信し、情報受信機１００もデータ信号受信用のアンテナ１１２ｂに切り換える（Ｓ２２）。
【００３８】
図９は、第３の第２の動作態様の概略を説明する交信図である。同図において左側縦軸は情報送信機２００の動作を時系列的に示している。同図右側の縦軸は情報受信機の動作を時系列的に示している。両軸間にはデータ信号の例が示されている。
【００３９】
この実施例では、ＥＰＤ駆動を無線駆動するときの効率化を図る手段としてデータ書き込み用の無線駆動出力と表示書き込み用の無線駆動出力を分けている。また、高速データ通信用伝送系と電力送信用伝送系とを使い分けている。
【００４０】
まず、情報送信機２００は、周期的な呼出信号の送出など、何等かの手段によって情報受信機１００が通信範囲内に存在することを検出すると、キャリア信号に重畳して情報受信機１００側に受信初期化シーケンスのデータ信号ＳＤ１を送信する。このデータ信号は、例えば、同図に示すようにパケットデータであり、フラグシーケンス（開始フラグ）、制御部、情報部、フレームチェックシーケンス、フラグシーケンス（終了フラグ）によって構成されている。フレームチェックシーケンスには、ＣＲＣ方式あるいはパリティチェックなどのエラーチェックを採用することができる。受信初期化シーケンスのデータ信号ＳＤ１は上記情報部に初期化を指令するイニシャライズデータを含んでいる（Ｘ１）。
【００４１】
情報受信機１００は、通常状態においては、情報受信機１００はアンテナ部１１２の特性をアンテナの選択又はアンテナのＱ特性の選択によって狭帯域に設定するようになされている。これによってキャパシタ利得信号から効率よく電源電圧を生成することが可能となる。情報受信機１００はデータ信号ＳＤ１を受信すると、各部を初期化して初期化終了コマンドをパケットの情報部に含むデータ信号ＲＤ１を情報送信機２００に返信（送信）する。初期化には、受信回路のＩＤの読み込みが含まれる。情報受信機１００は、高速データ伝送に備えて、アンテナ部１１２の特性をアンテナの選択又はアンテナのＱ特性の選択によって広帯域特性に設定する（Ｙ１）。
【００４２】
情報送信機２００は、初期化終了コマンドを受信すると、アンテナ部２１２の特性を広帯域特性に設定し、送信部２２０の帯域特性も広狭帯域利得特性に設定し、ＥＰＤ表示用の画像データを送信するデータ信号ＳＤ２を高速で送信する。データ信号ＳＤ２は情報量が多く、高速のデータ伝送が望ましい。データ信号ＳＤ２のアドレス部には各行のアドレスが格納され、その情報部に各行の画素データ群が格納されている。このデータ信号ＳＤ２によって第１行〜最終行の画素データ群まで１行分毎に逐次送信する（Ｘ２）。
【００４３】
情報受信機１００は、各データ信号ＳＤ２を受信すると、メモリ１１８ｂに逐次格納する。全てのデータ信号ＳＤ２の格納が終了すると、データ格納終了を示すデータ格納終了コマンド、情報受信機２００に送信電波の強度上昇を指示する出力上昇コマンドを情報部に含むデータ信号ＲＤ２を情報送信機２００に返信する。更に、アンテナ部１１２の特性を狭帯域高利得特性に設定する（Ｙ３）。
【００４４】
情報送信部２００はデータ信号ＲＤ２を受信し、アンテナ部２１２の特性を狭帯域高利得特性に設定し、送信部２２０の伝送特性も狭帯域高利得特性に設定して送信出力を増大させる（Ｘ３）。
【００４５】
次いで、情報送信部２００は、表示部活性コマンド及びＥＰＤ書込みトリガーコマンドを情報部に含むデータ信号ＳＤ３を情報受信部１００に送信する（Ｘ４）。
【００４６】
情報受信機１００は、データ信号ＳＤ３を受信すると、表示駆動部１３０、表示用電源部１４４を活性化させ、表示部１３２にメモリ１１８ｂに格納された画像データの書き込みを行う（Ｙ４）。
【００４７】
情報受信機１００は、画像データの書き込みが終了すると、書き込みの終了コマンドを情報部に含むデータ信号ＲＤ３を情報送信機２００に送信する（Ｙ５）。
【００４８】
情報送信部２００は、データ信号ＲＤ３を受信すると、情報受信機１００の各部を待機状態とする各部スタンバイコマンドを情報部に含むデータ信号ＳＤ４を情報受信機１００に送信する（Ｘ５）。
【００４９】
情報受信機１００は、データ信号ＳＤ４を受信すると、表示駆動部１３０，表示用電源１４４，表示部１３２を不活性化し、待機状態とする（Ｙ６）。
【００５０】
その後、情報送信部２００は送信出力を低下させる（Ｘ６）。
【００５１】
上述したように本発明の実施例では、ＥＰＤ表示器１３２を備える情報受信機１００を無線駆動するときの送信電力の利用率の向上のために、情報送信機２００からのメモリ１１８ｂへのデータ書き込み用の無線駆動出力とＥＰＤ表示器１３２へのデータ書き込み用の無線駆動出力とを分けている。それにより、低消費電力で済む情報受信機１００の動作状態における情報送信機２００からの過剰な電力供給を回避して送信電力の利用率を向上することが可能である。
【００５２】
また、上記供給電力の変更に対応して伝送系の帯域特性を広帯域低利得特性と狭帯域高利得特性に変更するので送信電力の利用率を更に向上することが可能である。
【００５３】
また、実施例の構成によれば情報受信機１００は情報送信機２００のコマンドによって制御されるので、情報受信機１００の存在場所に対応した各種情報を提供する情報ポスト（情報送信機）のようなシステムに好都合である。
【００５４】
なお、実施例では情報受信機１００は情報送信機２００の送信出力によって動作するものとして説明したが、情報受信機１００は充電池などの補助電源を備えていてもよい。
【００５５】
また、電力送信専用のアンテナを常時電源部に接続した構成としてもよい。画像データ送信のため通信速度を高くすると、アンテナの周波数特性に広帯域化を要求するため電力送信効率が低下する。加えて電波法によりデータ通信時の送信電力に上限が定められている。そこで、電力送信専用アンテナを設置し、受信機の表示機能の動作に合わせて駆動することで電力送信効率の良いシステムが実現する。
【００５６】
また、実施例では相対的に電力を必要とする部分の例としてＥＰＤ表示器を挙げたが、情報受信機には表示機能ではない別の相対的に消費電力の高いデバイスが接続されていても同様のシステムが実現可能である。
【図面の簡単な説明】
【００５７】
【図１】情報受信機の構成を説明するブロック図である。
【図２】情報送信機の構成を説明するブロック図である。
【図３】信号処理部の構成を説明するブロック図である。
【図４】アンテナ部の構成を説明するブロック図である。
【図５】ＥＰＤの単位画素を説明する説明図である。
【図６】ＥＰＤを使用した情報受信機における消費電力を説明する説明図である。
【図７】システムの第１の動作例を説明するフローチャートである。
【図８】システムの第２の動作例を説明するフローチャートである。
【図９】システムの第３の動作例を説明するフローチャートである。
【符号の説明】
【００５８】
１１２，２１２  アンテナ部、１１６，２１６  受信部、１１８，２１８  信号処理部、１２０，２２０  送信部、１３２  表示部、１４０表示用電源部
【図１】
2008242697.tif 000003
【図２】
2008242697.tif 000004
【図３】
2008242697.tif 000005
【図４】
2008242697.tif 000006
【図５】
2008242697.tif 000007
【図６】
2008242697.tif 000008
【図７】
2008242697.tif 000009
【図８】
2008242697.tif 000010
【図９】
2008242697.tif 000011